(57)【要約】【課題】  長脚タイプのこたつは、周囲から熱が逃げやすいので、ヒータの真下しか暖かくならず、周囲は冷えたままである。そのような温度差が激しい脚高こたつに好適利用できるこたつ用ヒータを提供する。【解決手段】  発熱体４と平行な軸を中心として首振可能に支持した反射板５から上方へ向けて突設されたアーム６の長穴６ａに、モータ７で回転する円盤９に突設したピン８を挿通して構成されるクランク機構とスライダ機構とで、前記反射板５を首振り動作させる。【選択図】    図４
2006284082.tif 000002
【特許請求の範囲】
【請求項１】
真直な発熱体と平行配置された反射板を、前記発熱体と平行な軸を回転中心として、モータ駆動によって首振り動作可能に支持したことを特徴とするこたつ用ヒータ。
【請求項２】
反射板が、モータの回転軸を中心とした円軌跡上を移動するピンを、反射板の回転中心から放射方向へ突設されたアームの長穴に挿通して構成されるクランク機構とスライダ機構とにより首振り動作可能に支持された請求項１に記載のこたつ用ヒータ。
【請求項３】
発熱体が、反射板と一体に首振り動作する請求項１又は２に記載のこたつ用ヒータ。
【請求項４】
反射板のみが発熱体を回転中心として首振り動作する請求項１又は２に記載のこたつ用ヒータ。
【発明の詳細な説明】
【技術分野】
【０００１】
本発明はこたつ用ヒータに係り、殊に、テーブル面が高く周囲が解放された長脚タイプのこたつに好適利用できるこたつ用ヒータ（以下単にヒータとのみ称する）に関する。
【背景技術】
【０００２】
布団で覆われたやぐらの中に足を入れ、腰から下の暖を取るこたつには、特許文献１に記載のように、床（畳）面上にやぐらを建て、正座したり足を真っ直ぐ伸ばして利用するやぐらごたつや、特許文献２に記載のように、やぐらの下の床を掘り下げて、掘り下げ部分に脚を下ろした腰掛け状態で利用する堀ごたつが一般的である。
しかし近年は、生活様式の変化に伴って正座する機会が少なくなってきたために、腰掛け姿勢で利用する堀りごたつが好まれる傾向が高いものの、掘り下げ工事が必要であるために普及率は低い。
そこで特許文献３に記載のように椅子を利用するテーブル式の長脚タイプが登場した。
こたつで利用するヒータとしては、前記特許文献１に記載のように、天板の裏側に下向き姿勢にて取り付けるやぐらごたつ用と、特許文献２に記載のように、掘り下げた床面に上向き姿勢で取り付ける下置き式の掘ごたつ用とがあり、長脚タイプでは、やぐらごたつと同様に、天板の裏側に下向き姿勢にて取り付けられている。
【０００３】
やぐらごたつ用のヒータには、例えば特許文献４に記載のように、フレーム内に固定配置された赤外線ランプを網状のカバーで覆った放熱型や、特許文献５に記載のように、内蔵したファンによって温風を吹き出させ、こたつ内の空気を拡散して温度の均一を図る温風型等がある。
【０００４】
【特許文献１】特開平６−３１３５５９号公報
【特許文献２】特開２００４−１７６９４２号公報
【特許文献３】特開２００１−３５５８５７号公報
【特許文献４】実用新案登録第３００５６６７号公報
【特許文献５】特開平５−２５６４６１号公報
【発明の開示】
【発明が解決しようとする課題】
【０００５】
テーブル式の長脚タイプは、テーブルの周りが布団で覆われていても隙間ができやすいので、保温性はやぐらごたつや掘ごたつに比べて不利である。
而も、長脚タイプは布団無しで利用するケースもあって、そのようなケースではせっかく暖められた空気が逃げてしまうので、対流熱の恩恵はほとんど受けられず、専ら輻射熱のみに頼ることになる。
そのため、ヒータの熱が直接当たるところと当たらないところとの温度差が大きく、ヒータから離れた隅の方では暖まりにくいし、逆にヒータの真下は暖かすぎ、長時間熱を受けると低温やけどのリスクを負う。
【課題を解決するための手段】
【０００６】
本発明は、輻射熱による温度の均一化を目的としたこたつ用ヒータであって、その構成は、真直な発熱体の長手方向と並行に配置された反射板を、前記発熱体と平行な軸を回転中心として、モータ駆動により首振り動作可能に支持したことにある。
前記反射板は、モータの回転軸を中心とした円軌跡上を移動するピンを、反射板の回転中心から放射方向へ突設されたアームの長穴に挿通して構成されるクランク機構とスライダ機構とを利用して首振り動作可能に支持することができる。
そして反射板のみが固定式の発熱体を回転中心に首振り動作するようにしたり、発熱体と反射板とが一体に首振り動作する可動式とすることができる。
【発明の効果】
【０００７】
反射板が首振り動作すれば放熱角度が変化するので、こたつ内の隅々まで輻射熱を行き渡らせることができ、特定の場所のみが長時間輻射熱を受け続けることがなくなる。
又、反射板をモータ駆動させるクランク機構とスライダ機構に、モータの回転軸を中心とした円軌跡上を移動するピンと、反射板の回転中心から放射方向へ突設されたアームとを採用すれば、シンプルな構造で小型化が図れるし、形成も容易である。
更に、反射板と発熱体とを一体的に首振り動作させれば、首振り動作していることのアピールによる心理的な効果と相俟って、実際より高めの温度を体感できるし、反射板のみを首振り動作させれば、モータに加わる負荷は少なくて済む。
【発明を実施するための最良の形態】
【０００８】
本発明に係るこたつ用ヒータの実施例を図面に基づいて説明する。
図１及び図２は、こたつ用ヒータ１が長方形テーブル２に取り付けられた長脚タイプのこたつを示したもので、こたつ用ヒータ１は、長細いフレーム１ａの両端がＬ型ブラケット３，３を介し、天板２ａの裏面と若干隙間を保って固定されている。
下面が解放された前記フレーム１ａ内には、真直な棒状の発熱体４（ガラス管ヒータ）と、内側へ円弧状に折り曲げられた長屋根状の反射板５が組み込まれている。
【０００９】
発熱体４と反射板５とは、発熱体４が反射板５の焦点に位置するよう一体に組み付けられており、それら発熱体４と反射板５とは、反射板５の屋根の中央を通り、発熱体４と平行な軸Ｓを中心にして首振り自在に支持されていると共に、反射板５の片端には、アーム６が真上に向けて突設されている。
【００１０】
フレーム１ａの片端部に組み込まれたモータ７の回転軸７ａには、図３に示すように、板面からピン８が突設された円盤９を取り付け、その円盤９に突設されたピン８が、アーム６の長穴６ａに挿通されており、前記したそれら回転軸７ａと円盤９及びピン８とによるクランク機構と、ピン８とアーム６とによるスライダ機構とが構成されている。
【００１１】
前記発熱体４及びモータ７は、図示しないコントロールボックスを介してコンセントプラグと電気的に接続されていて、スイッチ操作によって各々へ電力が供給されるようになっている。
ヒータ１は、その長手両側縁が、長方形の天板２ａの長辺と平行になるようテーブル２の中央に取り付けられているので、テーブル２の四辺にそれぞれ配置した椅子１０．１０のうち、長辺側と短辺側のどちらに配置された椅子１０に腰掛けても、天板が高い位置にある天板１ａの下に充分な空間が確保され、膝が触れて邪魔になることはない。
【００１２】
発熱体へ通電が行われれば、発熱し、反射板で反射された輻射熱が下方に向けて放射され、その真下にあたるところの温度は急激に上昇する。
周囲が布団で覆われていれば、暖められた空気の対流によってこたつ内は快適な温度まで上昇し、設定された温度に自動制御される。
【００１３】
布団無しで利用した場合は、暖められた空気は周囲から逃げてしまうので、発熱体の真下のみしか暖かくない。
スイッチオンによりモータへの通電が開始されれば、図４の（ａ）〜（ｃ）に示すように、回転軸７ａと共に円盤９が回転し、その円盤９に突設されているピン８がモータ７の回転軸７ａを中心とした円軌跡上を移動する。
ピン８はアーム６の長穴６ａに挿通されているので、クランク動作するピン８が、アーム６の長穴６ａ内をスライド運動することによって反射板５が首振り運動をし、それによって輻射熱の放熱方向が変化し、全域にわたって均等に暖められる。
【００１４】
実施例ではスイッチ操作で首振り運動の有無を選択可能なものを説明したが、発熱体が通電状態には常時首振り動作するようにもできるし、掘ごたつのように下置き式としたり、脚体に縦長姿勢で取り付け、側方より輻射熱を放射させるようにもできる。
【００１５】
又、図５に示すように、モータの回転軸に取り付けられた円盤９にピン８を突設し、そのピン８と、反射板５に突設されたピン５ａとをリンク体１１にて連結し、反射板５を、その反射板５の焦点に固定配置した発熱体４を中心として首振り動作させる発熱体固定式とすることもできる。
このように反射板のみを首振り動作させても、輻射熱の放熱方法を変更することが可能であり、発熱体を首振り動作させない分、省エネルギ効果がある。
【００１６】
実施例はヒータのフレームが細長い形状であるが、真四角でもかまわないし、一本の発熱体と一枚の反射板とを一つのフレームに組み込むばかりでなく、複数本の発熱体と一枚の反射板とを一つのフレーム内に組み込んだり、一つのフレーム内に、一本の発熱体と一枚の反射板との組を複数組連設することもできる。
そして本発明のヒータは、テーブルの周囲を布団で覆って利用する場合と、布団を利用しない場合との両タイプに好適利用される。
【図面の簡単な説明】
【００１７】
【図１】本発明のヒータが取り付けられた長脚タイプのこたつを示した説明図である。
【図２】本発明のヒータが取り付けられた長脚タイプのこたつを示した説明図である。
【図３】駆動部分を示した説明図である。
【図４】動作説明図である。
【図５】変更例の説明図である。
【符号の説明】
【００１８】
１・・ヒータ、１ａ・・フレーム、２・・テーブル、２ａ・・天板、３・・ブラケット、４・・発熱体、５・・反射板、５ａ・・ピン、６・・アーム、６ａ・・長穴、７・・モータ、８・・ピン、９・・円盤、１０・・椅子、１１・・リンク体、Ｓ・・回転中心。
【図１】
2006284082.tif 000003
【図２】
2006284082.tif 000004
【図３】
2006284082.tif 000005
【図４】
2006284082.tif 000006
【図５】
2006284082.tif 000007